(57)【特許請求の範囲】
【請求項１】
人工毛髪又は人毛が植毛されるかつらベースにおいて、
外側に外側凹凸面が形成された透明又は半透明の外側人工皮膚部と、
内側に内側凹凸面が形成された透明又は半透明の内側人工皮膚部と、
前記外側人工皮膚部と前記内側人工皮膚部との間に配置されたネット部と、を備え、
前記内側凹凸面は、点状の凸部又は凹部が前記外側凹凸面の凸部又は凹部よりも狭い間隔で点在するように形成されている、
ことを特徴とするかつらベース。
【請求項２】
前記内側凹凸面は、凸部と凹部とが連続して形成されていることを特徴とする請求項１記載のかつらベース。
【請求項３】
前記内側凹凸面は、平面部に、点状の前記凸部又は前記凹部が点在するように形成されていることを特徴とする請求項１記載のかつらベース。
【請求項４】
前記外側凹凸面は、前記外側人工皮膚部が前記ネット部の上で硬化して形成される際に該ネット部の網目に入り込むことで形成されることを特徴とする請求項１から請求項３のいずれか１項記載のかつらベース。
【請求項５】
ベース本体部を備え、
前記外側人工皮膚部、前記内側人工皮膚部及び前記ネット部は、前記ベース本体部とは独立して形成される、
ことを特徴とする請求項１から請求項４のいずれか１項記載のかつらベース。
【請求項６】
前記内側凹凸面は、ブラスト加工により形成されたかつらベース用型の凹凸面形状が転写されて形成されることを特徴とする請求項１から請求項５のいずれか１項記載のかつらベース。
【請求項７】
請求項１から請求項６のいずれか１項記載のかつらベースと、
前記かつらベースに植毛された前記人工毛髪又は前記人毛と、
を含むことを特徴とするかつら。
【発明の詳細な説明】
【技術分野】
【０００１】
本発明は、人工毛髪又は人毛が植毛されるかつらベース、及び、このかつらベースを含むかつらに関する。
【背景技術】
【０００２】
かつらは、一般的に薄毛に悩む人が薄毛を隠すために装着するものであり、実際の人の頭部であるかのように見えるものであることが望まれる。
そのため、人工皮膚で形成したかつらベースの外側の面に凹凸を設けることで、かつらベースに当たる光を乱反射させる技術が提案されている（例えば、特許文献１参照）。
【０００３】
更には、かつらベースの内側の面に凹凸を設けることで、かつらベースに当たる光を乱反射させる技術も提案されている（例えば、特許文献２参照）。
特許文献２に記載のかつらベースには、ネット部材の上から樹脂コーティングを施し、ネット部材を除去することによってかつらベース内側に皮膚模様の凹凸が形成される。この皮膚模様は、ネット部材のメッシュの大きさ及び形状をブラッシングなどにより不規則にされることで形成されている。
【０００４】
なお、擬似皮膚である人工皮膚に皮膚模様を形成する手法はその他にも提案されている（例えば、特許文献３及び４参照）。
【先行技術文献】
【特許文献】
【０００５】
【特許文献１】特開２００５−１１３３００号公報
【特許文献２】特許第２５４９５５６号公報
【特許文献３】特開２００６−２３０７０３号公報
【特許文献４】特許第３７３８２７４号公報
【発明の概要】
【発明が解決しようとする課題】
【０００６】
上記特許文献２のようにネット部材を用いてかつらベースの裏面に凹凸を設けると、線状の凹部が格子状に形成される。この凹部は、ブラッシングでネット部材のメッシュを不規則にしたところで、線状に形成される。そのため、かつらベース内側での乱反射が不自然なものになる。
【０００７】
更には、かつら装着者に発汗があった場合には、特許文献２に記載されているように、汗は線状の凹部に沿って流出する。これにより、かつらベースの内側の面では、汗は、線状の凹部に沿って不均一に拡がる。しかも、かつらベースである人工皮膚の厚さは、特許文献２に厚さ１０μｍ〜２５０μｍと記載されているように、非常に薄く、汗が目立ちやすい。したがって、上記特許文献２に記載のかつらは、発汗があると非常に不自然な外観を呈する。
【０００８】
本発明の目的は、かつらの外観を自然にすることができるかつらベース及びかつらを提供することである。
【課題を解決するための手段】
【０００９】
本発明のかつらベースは、人工毛又は人毛が植毛されるかつらベースにおいて、外側に外側凹凸面が形成され、内側に内側凹凸面が形成され、上記内側凹凸面は、点状の凸部又は凹部が点在するように形成されている構成とする。
【００１０】
好ましくは、上記内側凹凸面は、凸部と凹部とが連続して形成されている構成とする。
好ましくは、上記内側凹凸面は、平面部に、点状の上記凸部又は上記凹部が点在するように形成されている構成とする。
【００１１】
好ましくは、上記外側凹凸面が形成された外側人工皮膚部と、上記内側凹凸面が形成された内側人工皮膚部と、上記外側人工皮膚部と上記内側人工皮膚部との間に配置されたネット部と、を備える構成とする。
【００１２】
好ましくは、上記外側凹凸面は、上記外側人工皮膚部が上記ネット部の上で硬化して形成される際にこのネット部の網目に入り込むことで形成される構成とする。
好ましくは、ベース本体部を備え、上記外側人工皮膚部、上記内側人工皮膚部及び上記ネット部は、上記ベース本体部とは独立して形成される構成とするとよい。
【００１３】
好ましくは、上記内側凹凸面は、ブラスト加工により形成されたかつらベース用型の凹凸面形状が転写されて形成される構成とする。
好ましくは、上記内側凹凸面の点状の上記凸部又は上記凹部は、上記外側凹凸面の凸部又は凹部よりも狭い間隔で点在する構成とする。
【００１４】
本発明のかつらは、上記かつらベースと、このかつらベースに植毛された上記人工毛髪又は上記人毛と、を含む構成とする。
【発明の効果】
【００１５】
本発明によれば、かつらの外観を自然にすることができる。
【図面の簡単な説明】
【００１６】
【図１】本発明の一実施の形態に係るかつらベース（かつら）を示す平面図である。
【図２】本発明の一実施の形態に係るかつらベース（かつら）を示す右側面図である。
【図３】本発明の一実施の形態に係るかつらベースの生え際部を示す概略断面図である。
【図４】本発明の一実施の形態に係るかつらベースの製造方法を説明するためのかつらベース用型を示す斜視図である。
【図５】本発明の他の実施の形態に係るかつらベースの生え際部の内側人工皮膚部を内側から見た拡大図である。
【発明を実施するための形態】
【００１７】
以下、本発明の実施の形態に係るかつらベース及びかつらについて、図面を参照しながら説明する。
図１及び図２は、本発明の一実施の形態に係るかつらベース１（かつら１００）を示す平面図及び右側面図である。
【００１８】
図３は、かつらベース１の生え際部２０を示す概略断面図である。
図１及び図２に示すかつらベース１は、ベース本体部１０と、生え際部２０と、を備える。かつらベース１に人工毛髪又は人毛が植毛することでかつら１００が得られる。かつら１００は、例えば接着剤あるいは固定具を用いて装着者の頭部に装着される。
【００１９】
ベース本体部１０は、人の頭部の全体に亘って配置される粗網ベース部１１と、この粗網ベース部１１の上部において前頭部付近から頭頂部に亘って設けられた密網ベース部１２とを有する。なお、ベース本体部１０は、粗網ベース部１１のみから形成されるようにしても、密網ベース部１２のみから形成されるようにしてもよい。また、ベース本体部１０は、かつら１００の装着者の頭部の一部に配置されるものでもよい。
【００２０】
生え際部２０は、ベース本体部１０とは独立して形成されている。また、生え際部２０は、ベース本体部１０の周縁であるかつらベース１の前頭部の生え際部分において、ベース本体部１０に例えば、縫着、融着又は接着により取り付けられている。
【００２１】
生え際部２０の形状は任意であるが、本実施の形態では、生え際側及びベース本体部１０との取り付け側の両方において、周縁が目立たないように波状に形成されている。
図３に示すように、生え際部２０は、外側から順に、外側人工皮膚部２１と、ネット部２２と、内側人工皮膚部２３とを有する。これらは、かつらベース１に入射する光を内側人工皮膚部２３の内側まで導くために、透明又は半透明に形成されている。
【００２２】
外側人工皮膚部２１には外側に外側凹凸面２１ａが形成され、内側人工皮膚部２３には内側に内側凹凸面２３ａが形成されている。ネット部２２は、外側人工皮膚部２１と内側人工皮膚部２３との間に配置されている。
【００２３】
外側凹凸面２１ａには、例えば、ウレタン樹脂やシリコーン樹脂などの人工樹脂からなる外側人工皮膚部２１がネット部２２の上で硬化して形成される際に、ネット部２２の縦糸２２ａと横糸２２ｂとで区画される領域である網目に入り込んで凹部２１ａ−１が形成される。
【００２４】
また、外側人工皮膚部２１は、ネット部２２の縦糸２２ａ及び横糸２２ｂの上方（外側）の部分では、網目に入り込まないために凸部２１ａ−２が形成されている。
なお、凸部２１ａ−２間の間隔Ｌ１は、例えば、１ｍｍ〜３ｍｍ（数ｍｍ以下）である。また、凹部２１ａ−１と凸部２１ａ−２との高低差Ｌ２は、例えば、０．０２ｍｍ〜０．０５ｍｍ（０．１ｍｍ以下）である。
【００２５】
内側凹凸面２３ａには、点状の凸部又は凹部が点在する形状として、凹部２３ａ−１と凸部２３ａ−２とが連続する形状に形成されている。この形状は、内側人工皮膚部２３が図４に示すかつらベース用型２０１の凹凸面形状が転写されて形成される。なお、内側人工皮膚部２３は、例えば接着によりネット部２２に固定される。
【００２６】
図４は、本実施の形態に係るかつらベース１の製造方法を説明するためのかつらベース用型２０１を示す斜視図である。
かつらベース用型２０１の表面には、数十μｍ以下の粒子を用いたブラスト加工により凹凸面形状が形成されている。内側人工皮膚部２３は、刷毛２０２により所望の厚さになるまで材料をかつらベース用型２０１に塗布されることで形成される。
【００２７】
これにより、かつらベース用型２０１と接する面である内側の面に、内側凹凸面２３ａが形成される。このように内側凹凸面２３ａが形成されるため、凹部２３ａ−１又は凸部２３ａ−２は、例えば数十μｍ以下の間隔で形成され、外側凹凸面２１ａの凹部２１ａ−１間の間隔又は凸部２１ａ−２間の間隔よりも狭い間隔で点在する。
【００２８】
なお、生え際部２０の一部（例えばネット部２２）をベース本体部１０と一体にしてもよいが、生え際部２０をベース本体部１０とは独立して形成することで、生え際部２０を簡単に製造することができる。
【００２９】
また、外側凹凸面２１ａ及び内側凹凸面２３ａは、生え際部２０のみではなく、分け目部などの他の部分、或いは、かつらベース１の全体に形成するようにしてもよい。
以上説明した本実施の形態では、かつらベース１（かつら１００）には、外側に外側凹凸面２１ａが形成され、内側に内側凹凸面２３ａが形成され、この内側凹凸面２３ａは、点状の凸部２３ａ−２及び凹部２３ａ−１（凸部又は凹部）が点在するように形成されている。
【００３０】
そのため、外側凹凸面２１ａ及び内側凹凸面２３ａによってかつらベース１に入射する光を乱反射させることができる。また、内側凹凸面２３ａは凸部２３ａ−２及び凹部２３ａ−１（凸部又は凹部）が点在するように形成されているため、かつらベース１に入射する光の乱反射が線状の凹凸の場合のような不自然なものにはならず、更には、かつら１００の装着者が汗をかいた場合でも汗が不均一に拡がるのを防ぐことができる。
【００３１】
よって、本実施の形態によれば、かつら１００の外観を自然にすることができる。
なお、かつら１００の装着者の汗が内側凹凸面２３ａからかつらベース１に染み込むことで、或いは、内側人工皮膚部２３の内側にかつら１００固定用の接着剤が存在することで、かつらベース１を透明に見せることも可能となる。
【００３２】
また、本実施の形態では、内側凹凸面２３ａは、凸部２３ａ−２と凹部２３ａ−１とが連続して形成されている。そのため、より一層、かつら１００の外観を自然にすることができる。
【００３３】
また、本実施の形態では、かつらベース１は、外側凹凸面２１ａが形成された外側人工皮膚部２１と、内側凹凸面２３ａが形成された内側人工皮膚部２３と、外側人工皮膚部２１と内側人工皮膚部２３との間に配置されたネット部２２と、を備える。そのため、かつらベース１及びかつら１００を簡単に製造することができる。
【００３４】
また、本実施の形態では、外側凹凸面２１ａは、外側人工皮膚部２１がネット部２２の上で硬化して形成される際にネット部２２の網目（縦糸２２ａと横糸２２ｂとで区画される領域）に入り込むことで形成される。そのため、かつらベース１及びかつら１００を簡単に製造することができる。
【００３５】
また、本実施の形態では、かつらベース１は、外側人工皮膚部２１、内側人工皮膚部２３及びネット部２２が周縁に配置されるベース本体部１０を備える。また、外側人工皮膚部２１、内側人工皮膚部２３及びネット部２２は、ベース本体部１０とは独立して形成される。そのため、生え際部２０、ひいてはかつらベース１及びかつら１００を簡単に製造することができる。
【００３６】
また、本実施の形態では、内側凹凸面２３ａは、ブラスト加工により形成されたかつらベース用型２０１の凹凸面形状が転写されて形成される。そのため、内側凹凸面２３ａを微細に形成することができ、したがって、より一層、かつら１００の外観を自然にすることができる。
【００３７】
また、本実施の形態では、内側凹凸面２３ａの点状の凸部２３ａ−２及び凹部２３ａ−１（凸部又は凹部）は、外側凹凸面２１ａの凸部２１ａ−２又は凹部２１ａ−１よりも狭い間隔で点在する。そのため、より一層、かつら１００の外観を自然にすることができる。
【００３８】
図５は、本発明の他の実施の形態に係るかつらベースの生え際部の内側人工皮膚部２４を内側から見た拡大図である。
本実施の形態のかつらベース及びかつらは、内側人工皮膚部２４のみにおいて上述の一実施の形態のかつらベース１及びかつら１００と相違する。そのため、内側人工皮膚部２４を除く説明は省略する。
【００３９】
内側人工皮膚部２４は、内側凹凸面２４ａの平面部２４ａ−１に、図５に平面部２４ａ−１よりも濃く示す点状の凸部２４ａ−２が点在するように形成されている。この平面部２４ａ−１及び凸部２４ａ−２は、例えば、図４に示すかつらベース用型２０１に吹き付ける粒子を少なく或いは小さくしてかつらベース用型２０１の表面に平面部分を残すことで、形成される。
【００４０】
本実施の形態においても、内側凹凸面２４ａの点状の凸部２４ａ−２（凸部又は凹部）は、図３に示す外側凹凸面２１ａの凸部２１ａ−２又は凹部２１ａ−１よりも狭い間隔で点在している。
【００４１】
なお、本実施の形態では、内側凹凸面２４ａの平面部２４ａ−１に凸部２４ａ−２が点在するが、平面部２４ａ−１に点状の凹部が点在するように内側凹凸面２４ａを形成するようにしてもよい。
【００４２】
以上説明した本実施の形態によっても、上述の一実施の形態と同様の点については同様の効果、即ち、かつら１００の外観を自然にすることができるという効果などを得ることができる。
【００４３】
また、本実施の形態では、内側凹凸面２４ａは、平面部２４ａ−１に、点状の凸部２４ａ−２（凸部又は凹部）が点在するように形成されている。そのため、かつら１００の外観を自然にすることができる。
【符号の説明】
【００４４】
１      かつらベース
１０      ベース本体部
１１      粗網ベース
１２      密網ベース
２０      生え際部
２１      外側人工皮膚部
２１ａ      外側凹凸面
２１ａ−１  凹部
２１ａ−２  凸部
２２      ネット部
２２ａ      縦糸
２２ｂ      横糸
２３      内側人工皮膚部
２３ａ      内側凹凸面
２３ａ−１  凹部
２３ａ−２  凸部
２４      内側人工皮膚部
２４ａ      内側凹凸面
２４ａ−１  平面部
２４ａ−２  凸部
１００      かつら
２０１      かつらベース用型
２０２      刷毛
【図１】
0005676176.tif 000002
【図２】
0005676176.tif 000003
【図３】
0005676176.tif 000004
【図４】
0005676176.tif 000005
【図５】
0005676176.tif 000006